(57)【要約】【課題】接地側電線の接続不良による異常電圧の発生を未然に防止することのできる安価かつコンパクトな電力量計の接続用アダプタを提供することを目的としている。【解決手段】単相３線式で電力供給する商用電源と、当該供給電力を受けて消費する負荷設備と、の間に介在して消費電力量を計測する電力量計１００の接続用アダプタ１０であって、商用電源から入力電線１２１、１２３および負荷設備への出力電線１２５、１２７はそれぞれ電力量計の接続端子台１０２の端子１１１、１１３、１１５、１１７に接続して該電力量計を介在させる一方、商用電源側および負荷設備側からの中性線の入力電線１２２と出力電線１２６を直接導通させる一対の接続端子１１、１２と、電力量計の接続端子台の電源側の中性線用の入力端子１１２からの導通電線１９を接続して中性線に導通させる導通端子１３と、を備える。【選択図】図１
2011169868.tif 000002
【特許請求の範囲】
【請求項１】
単相３線式で電力供給する商用電源と、当該供給電力を受けて消費する負荷設備と、の間に介在して消費電力量を計測する電力量計の接続配線であって、
前記商用電源から電力供給用の電圧線および前記負荷設備への電力供給用の電圧線はそれぞれ前記電力量計の接続端子台における電力用接続端子に接続して該電力量計を介在させる一方、
前記商用電源側および前記負荷設備側のそれぞれに接続する中性線は前記電力量計を介在させることなく直接導通させるとともに当該電力量計の接続端子台における電源側の中性線用の接地用接続端子にも分岐接続することを特徴とする電力量計の接続配線。
【請求項２】
単相３線式で電力供給する商用電源と、当該供給電力を受けて消費する負荷設備と、の間に介在して消費電力量を計測する電力量計の接続用アダプタであって、
前記商用電源から電力供給用の電圧線および前記負荷設備への電力供給用の電圧線はそれぞれ前記電力量計の接続端子台における電力用接続端子に接続して該電力量計を介在させる一方、
前記商用電源側および前記負荷設備側からの中性線のそれぞれを前記電力量計を介在させることなく直接導通させる一対の接地用接続端子と、前記電力量計の接続端子台における電源側の中性線用の接地用接続端子からの導通線を接続して前記中性線に導通させる接地用導通端子と、を備えることを特徴とする電力量計の接続用アダプタ。
【発明の詳細な説明】
【技術分野】
【０００１】
本発明は、電力量計の接続配線およびその接続用アダプタに関し、詳しくは、単相３線式の電力量計の取替作業を安全に行い得ることを実現するものに関する。
【背景技術】
【０００２】
従来、商用電源から電力供給する各家庭などの負荷設備までの間には、単相３線式の電力量計を介在させることにより、その負荷設備で消費する供給電力量を計量課金することが行われており、この単相３線式の電力量計は、電力供給用の２本の電圧線に加えて、接地している１本の中性線を備えることにより、これら３本の電線に対する接続パターンを変えることで負荷設備に応じた電圧（ＡＣ１００Ｖ／ＡＣ２００Ｖ）の電力供給を受け持つことができる。
【０００３】
この種の電力量計は、計量法により定められている検定有効期限の範囲内で定期的に取り替える必要があり、また、供給電力量などの契約変更に応じた種別に変更する取替作業を行う場合もある。また、単相３線式の電力量計では、接地側電線（中性線）を外した状態にして絶縁試験を行う場合もある。
【０００４】
このような電力量計では、電線の接続・取り外しの際に、作業手順の不履行により接地側電線の接続タイミングを誤るなどして、あるいは、振動に起因する緩み等の電線の接続不良などにより、接地側電線が十分に導通接続されていない状態で電力供給がなされると、負荷設備側への接続形態によっては異常電圧が発生して焼損させてしまう可能性がある。このために、電力量計の交換等は、慎重に作業を行わなければならず、作業効率が悪い。
【０００５】
このことから、この種の電力量計では、例えば、計器部とアダプタ部とに分けることにより（特許文献１）、または、電線を接続する端子台のカバーを２重にすることにより（特許文献２）、接続ミスを防止することが提案されている。
【先行技術文献】
【特許文献】
【０００６】
【特許文献１】特開２００７−２４８０６７号公報
【特許文献２】特開２００７−１７０９９８号公報
【発明の概要】
【発明が解決しようとする課題】
【０００７】
しかしながら、上記特許文献１、２のような電力量計にあっては、特別に設計・製作しなければならず、また、既設のものを交換しなければならず、コスト高になってしまう。また、電力量計の端子台を着脱する大型のアダプタ形式では、その設置作業スペースを確保なければならず、既設の設備では困難な場合がある。
【０００８】
さらに、近年には、電力量計の交換を無停電で行い得るようにする中継アダプタなどが提案されているが、接地側電線との導通接続が不十分であると、同様に異常電圧による焼損の恐れがあることから、その確認作業が必要となり、採用し難いという課題もある。
【０００９】
なお、近年には、接地側電線の欠相による異常電圧から保護するブレーカを設置することが定められているが、既設の設備には未だ設置されていない箇所もある。
【００１０】
そこで、本発明は、電線接続の作業品質に影響されることなく、接地側電線の接続不良による異常電圧の発生を未然に防止することのできる安価かつコンパクトで、また、既設の電力量計にも採用することのできる電力量計の接続配線を提供することを目的としている。
【課題を解決するための手段】
【００１１】
上記課題を解決する電力量計の接続配線の発明は、単相３線式で電力供給する商用電源と、当該供給電力を受けて消費する負荷設備と、の間に介在して消費電力量を計測する電力量計の接続配線であって、前記商用電源から電力供給用の電圧線および前記負荷設備への電力供給用の電圧線はそれぞれ前記電力量計の接続端子台における電力用接続端子に接続して該電力量計を介在させる一方、前記商用電源側および前記負荷設備側のそれぞれに接続する中性線は前記電力量計を介在させることなく直接導通させるとともに当該電力量計の接続端子台における電源側の中性線用の接地用接続端子にも分岐接続することを特徴とするものである。
【００１２】
上記課題を解決する電力量計の接続用アダプタの発明は、単相３線式で電力供給する商用電源と、当該供給電力を受けて消費する負荷設備と、の間に介在して消費電力量を計測する電力量計の接続用アダプタであって、前記商用電源から電力供給用の電圧線および前記負荷設備への電力供給用の電圧線はそれぞれ前記電力量計の接続端子台における電力用接続端子に接続して該電力量計を介在させる一方、前記商用電源側および前記負荷設備側からの中性線のそれぞれを前記電力量計を介在させることなく直接導通させる一対の接地用接続端子と、前記電力量計の接続端子台における電源側の中性線用の接地用接続端子からの導通線を接続して前記中性線に導通させる接地用導通端子と、を備えることを特徴とするものである。
【００１３】
これらの発明では、商用電源側および負荷設備側のそれぞれの中性線は、電力量計の着脱に関係なく、直接、導通接続されるとともに、電力量計の接続端子台における電源側の中性線用の接地用接続端子にも絶縁試験を可能に分岐接続される。したがって、商用電源と負荷設備との間の電力供給用の電圧線を接断する電力量計の交換時にも、商用電源側と負荷設備側の間の中性線の導通を維持することができる。
【発明の効果】
【００１４】
このように本発明によれば、電力量計の交換時にも、電線の接続作業の品質に関係なく、商用電源側と負荷設備側の間の中性線の導通を維持することができ、その接続不良による異常電圧の発生を未然に防止することができる。したがって、中性線の接続ミスによる焼損の恐れをなくすことができ、電力量計の交換等の作業を容易かつ迅速に完了することができる。
【００１５】
また、この中性線は、商用電源側から負荷設備側に直接接続してもよいが、アダプタ上で接続・切断するようにしてもよく、この場合でも中性線のみであるので、そのアダプタをコンパクトにしてレイアウトすることができる。また、電力量計の交換を無停電で行い得るようにする中継アダプタなども中性線の接続品質を気にすることなく、利用することができる。さらに、既設の電力量計にも採用することができる。
【図面の簡単な説明】
【００１６】
【図１】本発明に係る電力量計の接続配線を実現する接続用アダプタの一実施形態を示す図であり、その電力量計と共に接続用アダプタの概略全体構成を示す透視平面図である。
【図２】その既設の電力量計の配線を示す平面図である。
【図３】その接続用アダプタの構成を示す図であり、（ａ）はその構造を示す平面図、（ｂ）はその導通接続構造を示す構造図である。
【図４】その導通接続構造の他の例を示す構造図である。
【発明を実施するための形態】
【００１７】
以下、図面を参照して、本発明の実施形態について詳細に説明する。図１〜図４は本発明に係る電力量計の接続配線を実現する接続用アダプタの一実施形態を示す図である。
【００１８】
図１において、電力量計１００は、例えば、負荷設備が設置されている各戸（各家庭）のブレーカの前段に設置されている汎用の既設計器であり、使用された供給電力を積算（計測）する本体部１０１と、商用電源と各戸の負荷装置との間の電線の途中に本体部１０１が介在するようにその電線を接続する接続端子台１０２と、この接続端子台１０２と並列に利用する接続用アダプタ１０と、を備えている。
【００１９】
この電力量計１００は、従来には図２に示すように、商用電源からの入力電線（電源線）１２１〜１２３を本体部１０１に接続する入力端子１１１〜１１３と、負荷設備側のブレーカーへの出力電線１２５〜１２７を本体部１０１に接続する出力端子１１５〜１１７と、が接続端子台１０２に配設されている。接続端子台１０２は、下面側に端子１１１〜１１３、１１５〜１１７に電線１２１〜１２３、１２５〜１２７を差し込む差込孔が開口されており、端部の導通心線を露出させて差し込んだ電線１２１〜１２３、１２５〜１２７を締付ネジＳで締め付けて導通接続させたり、その締付ネジＳを緩めて引き抜くことにより交換等することができるように設計されている。なお、接続端子台１０２は、端子１１１〜１１３、１１５〜１１７の締付ネジＳが配設されている正面側に不図示のカバーを取り付けて不用意に触れてしまわないようになっている。
【００２０】
ここで、電力量計１００は、入力電線１２１〜１２３および出力電線１２５〜１２７が商用電源からの電力を各戸に供給する電線であることから、本体部１０１の内部では、電線１２１、１２５と、電線１２２、１２６と、電線１２３、１２７とは、電力供給可能に導通回路で繋がれており、そのうちの電線１２１、１２５と電線１２３、１２７が電力供給用の２本の電圧線として機能する一方、電線１２２、１２６が接地している１本の中性線として機能する。
【００２１】
そして、図１に戻って、接続用アダプタ１０は、従来には、電力量計１００の接続端子台１０２の端子１１２、１１６に接続していた中性線の接地側電線１２２、１２６を接続する接地用接続端子１１、１２と、入力電線１２２に代えて導通電線１９を接続端子台１０２の入力端子１１２に接続する接地用導通端子１３と、を備えている。
【００２２】
この接続用アダプタ１０は、絶縁性を有する収納ケース２０内に収納されて電力量計１００の近傍に配設されており、接続端子１１、１２と導通端子１３は、接地側電線１２２、１２６と導通電線１９とを導通状態に配線接続することができるように作製されている。
【００２３】
これにより、接続用アダプタ１０は、商用電源からの電圧線の入力電線１２１、１２３を負荷設備側の出力電線１２５、１２７に電力量計１００を介在させて消費電力を計量可能に接続することができる。一方、中性線の入力電線１２４は、その電力量計１００の着脱に影響されることがないように、接続用アダプタ１０を介して出力電線１２４に直接導通接続することができるとともに、電力量計１００の入力端子１１２にも分岐接続することができる。このため、電力量計１００と共に接続用アダプタ１０を並列接続することにより、電力量計１００の交換時に電圧線を接断する際に中性線の導通状態を維持しつつ交換作業を完了することができる。また、この接続用アダプタ１０は、接続端子１１、１２と導通端子１３を備えるだけなので、小さなスペースに設置することができるとともに、簡易でコンパクトな構造であるので安価に作製することもできる。
【００２４】
なお、電力量計１００は、中性線の入力電線１２２を接続する回路自体に計量機能はなく、電力値（電流×電圧）の計測や動作用に必要であることから入力電線１２２と同電位の導通電線１９を接続端子台１０２の入力端子１１２に接続する必要があり、絶縁性試験のために導通端子１３側で接断自在にしておくのが便利である。また、接続端子台１０２の出力端子１１６の差込孔が空いている状態になるが、絶縁性を確保する閉塞栓１５を取り付ければよい。
【００２５】
ここで、接続用アダプタ１０は、図３（ａ）に示すように、ブロック状の導電性材料を切削することにより接地側電線１２２、１２６と導通電線１９とを導通状態に配線接続する一体構造になっており、図３（ｂ）に示すように、電線１２２、１２６、１９の被覆を剥いで露出させた導通線１２２ａ、１２６ａ、１９ａをブロック体Ｂ内の接続穴１１ａ、１２ａ、１３ａ（接続穴１３ａは不図示）に差し込んで、電力量計１００の接続端子台１０２と同様に、締付ネジＳで圧接導通させることにより接続端子１１、１２と導通端子１３として機能する。なお、電線１２２、１２６は、商用電源と負荷設備との間の電力線であるので、大容量の電線が採用されているが、導通電線１９は計測用であることから小容量のもので十分である。
【００２６】
また、この接続用アダプタ１０は、絶縁性を有する樹脂製のベース板２１に接続端子１１、１２と導通端子１３のブロック体Ｂを固設して不図示のカバーを被せることにより収納ケース２０を形成するようになっており、そのベース板２１やカバーの対角位置に開口する貫通穴２３に封印線を通して封印するようになっている。
【００２７】
このように本実施形態においては、小スペースでコンパクトかつ安価な接続用アダプタ１０を設置するだけで、電力量計１００の交換作業時には、中性線の入力電線１２２と出力電線１２６との導通状態を維持することができ、その交換作業における電線の接続作業に影響されることなく、言い換えると、例えば、無停電用の中継アダプタの電線の接続品質に関係なく、中性線の接続不良による異常電圧の発生を起こすことがない。したがって、接地側電線の欠相による異常電圧から保護するブレーカが設置されていない既設の電力量計１００であっても、中性線の接続ミスによる焼損の恐れをなく、その電力量計１００の交換作業を容易かつ迅速に完了することができる。
【００２８】
本実施形態の他の態様としては、電線１２２、１２６、１９の導通線１２２ａ、１２６ａ、１９ａを接続穴１１ａ、１２ａ、１３ａに差し込んで締付ネジＳで圧接導通させる構造を採用するが、これに限るものではなく、例えば、図４（ａ）に示すように、ブロック体Ｂの上面に形成する湾曲面状の溝ｂ内に電線１２２、１２６、１９の導通線１２２ａ、１２６ａ、１９ａを位置決めするとともに導電性の圧接板３１を締付ネジＳで圧接導通させる構造でもよく、また、図４（ｂ）に示すように、ブロック体Ｂの上面に雄ネジ３２を形成するとともに、その雄ネジ３２の中心軸に電線１２２、１２６、１９の導通線１２２ａ、１２６ａ、１９ａを収容する差込溝３２ａを形成してナットＮによりその内面に圧接導通させる構造を採用してもよい。
【００２９】
また、本実施形態では、接続用アダプタ１０を介して中性線の入力電線１２２と出力電線１２６を導通接続するが、これに限らず、負荷設備側の各家庭の屋内に設置されている分電盤に直接入力電線１２２を接続してもよく、この場合には、導通電線１９を分電盤から電力量計１００に引き回して接続すればよい。
【産業上の利用可能性】
【００３０】
これまで本発明の一実施形態について説明したが、本発明は上述の実施形態に限定されず、その技術的思想の範囲内において種々異なる形態にて実施されてよいことは言うまでもない。
【符号の説明】
【００３１】
１０……接続用アダプタ      １１、１２……接地用接続端子      １３……接地用導通端子      １５……閉塞栓      １９……導通電線      ３１……圧接板      ３２……雄ネジ      ３２ａ……差込溝      １００……電力量計      １０１……本体部      １０２……接続端子台      １１１〜１１３……入力端子      １１５〜１１７……出力端子      １２１〜１２３……入力電線      １２５〜１２７……出力電線
【図１】
2011169868.tif 000003
【図２】
2011169868.tif 000004
【図３】
2011169868.tif 000005
【図４】
2011169868.tif 000006